(57)【特許請求の範囲】
【請求項１】
芝刈機の風洞内にファン及び芝刈刃を回転自在に設け、ファンの上面に突部を設け、芝刈刃にて刈り取った芝屑をファンによる風力により集草部に送り込とともに刈り取った長芝屑を突部にて引っ掛けて集草部に送り込む芝刈機であって、ファンの上面の突部を回転自在に構成して成ることを特徴とする芝刈機。
【請求項２】
突部の周囲に芝屑が支軸に波及するのを防止する防屑壁を設けて成ることを特徴とする請求項１記載の芝刈機。
【請求項３】
突部にエッジを形成して成ることを特徴とする請求項１記載の芝刈機。
【請求項４】
突部に歯車を形成し、芝刈機本体側に突部の歯車に噛合して突部を強制的に回転させる手段を備えて成ることを特徴とする請求項１記載の芝刈機。
【発明の詳細な説明】
【０００１】
【発明の属する技術分野】
本発明は、芝刈機に関し、詳しくは、ファンの上面に形成した突部にて長芝屑を引っ掛けて集草部に送り込む芝刈機に関し、更に詳しくは、突部に長芝草が絡まるのを防止して突部による長芝草の送り込み機能を高めようとする技術に係るものである。
【０００２】
【従来の技術】
従来、芝刈機の風洞内にファン及び芝刈刃を回転自在に設け、ファンの上面に突部を設け、芝刈刃にて刈り取った芝屑をファンによる風力により集草部に送り込とともに刈り取った長芝屑を突部にて引っ掛けて集草部に送り込む芝刈機においては、ファンの上面に形成した突部はファンケーシングに一体化されているものであった。
【０００３】
【発明が解決しようとする課題】
ところで、刈り取った長芝屑を引っ掛けて集草部に送り込む突部がファンケーシングに一体化されていることから、突部に長芝草が絡みついて取れにくくなり、突部による長芝草の送り込み機能が低下し、刈り取った長芝草を残してしまうという問題があった。
【０００４】
本発明はこのような問題に鑑みてなされたものであり、突部に長芝草が絡まるのを防止して突部による長芝草の送り込み機能を高め、刈り取った長芝草を残すことがない芝刈機を提供することを課題とするものである。
【０００５】
【課題を解決するための手段】
請求項１においては、芝刈機の風洞３内にファン１０及び芝刈刃９を回転自在に設け、ファン１０の上面に突部２３を設け、芝刈刃９にて刈り取った芝屑をファン１０による風力により集草部１４に送り込とともに刈り取った長芝屑を突部２３にて引っ掛けて集草部１４に送り込む芝刈機であって、ファン１０の上面の突部２３を回転自在に構成してあることを特徴とするものである。このような構成によれば、刈り取った長芝草を突部２３にて引っ掛けて集草部１４に送り込む際に、突部２３が回転することから、突部２３に長芝草が絡むことを低減することができ、突部２３に長芝草が絡むことによる集草部１４への送り込み機能の低下を回避することができ、刈り取った長芝草を残すことなく良好に集草することができる。
【０００６】
請求項２においては、突部２３の周囲に芝屑が支軸３０に波及するのを防止する防屑壁３１を設けてあることを特徴とするものである。このような構成によれば、防屑壁３１によって突部２３を回転自在に支持している支軸３０に芝屑が波及するのを防止することができ、突部２３が回転しなくなるということをなくすことができ、請求項１の効果を、一層、高めることができる。
【０００７】
請求項３においては、突部２３にエッジ２４を形成していることを特徴とするものである。このような構成によれば、突部２３で刈り取った長芝草を引っ掛ける際に突部２３のエッジ２４にて切断して小さくすることができ、芝草を円滑に集草できる。
【０００８】
請求項４においては、突部２３の外周に歯車３５を形成し、芝刈機本体１側に突部２３の歯車３５に噛合して突部２３を強制的に回転させる手段を備えていることを特徴とするものである。このような構成によれば、突部２３の外周に形成した歯車３５に噛合して突部２３を強制的に回転させることができて突部２３に長芝草が絡まるのを防止することができ、長芝草の除去を円滑におこなえる。
【０００９】
【発明の実施の形態】
以下、本発明の実施の形態を説明する。図１はファンを示し、（ａ）は平面図、（ｂ）は側断面図、（ｃ）は（ａ）のＡ−Ａ線断面図である。図２は芝刈機本体の側断面図である。図３はハンドル及び把手部を示す側面図である。
【００１０】
芝刈機Ｇは、芝刈機本体１とハンドル２５と把手部３９から構成され、ハンドル２５は芝刈機本体１の両側面の後方上部に継手２６によって回転自在に装着されている。ハンドル２５の芝刈機本体１側と反対側の端部に把手部３９を形成している。把手部３９にはスイッチ４０が設けられ、スイッチ４０からは電源コード４１が延出され、電源コード４１はハンドル２５に沿って延びており、芝刈機本体１内に設けられたモーター２に繋がっている。
【００１１】
芝刈機本体１は両側の前後端部に車輪６を有する箱状のものであり、ハウジング５と蓋ハウジング４を備えている。ハウジング５は風洞３を形成するものである。芝刈機本体１内部には中央部分に動力部７が設けられ、動力部７の周りを囲むように風洞３が形成されている。
【００１２】
風洞３は天井が高くなりながらその体積を広げるように形成している。また、風洞３の一部を形成する芝刈機本体１の底面板１９の前端部１ａに開口８を有し、底面板１９の先端部分には熊手状の芝取込み具２１を設けている。また、風洞３は芝刈機本体１の後部においても開口１３を有し、芝刈機本体１の後部に着脱自在に装着される集草部１４と上記開口１３によって連通している。このように芝刈機本体１に底面板１９を設けたことは、地面の凹凸にファン１０等が衝突することがないようにするためである。
【００１３】
動力部７では、モーター２がマウント１２においてビス１１にてハウジング５に固定され、モーター２から延出するモーター軸２ａの先端をハウジング５に形成された軸孔より突出させて動力部７の下部の風洞３内に位置させている。ここで、モーター軸２ａは断面Ｄ字型の形状を有し、また、モーター軸２ａの表面にはネジ山が形成される。
【００１４】
ファン１０は図１に示すように、円盤状のものであり、その上面には複数条の羽根２２が上方に向かって突設し、羽根２２よりも外周部には突部２３が形成されている。ファン１０のハウジング３２に一体に突起３３が形成され、突部２３がベアリング３４を介して突起３３に回転自在に保持されている。
【００１５】
ファン１０の回転時、突部２３が風洞３内に溜まった芝屑を引っ掛けて強制的に除去することから、突部２３に芝屑が絡みつくが突部２３は突起３３に対してベアリング３４によって回転することにより芝屑が突部２３より離れやすく、風洞３内の芝草を集草部１４に円滑に放出することができる。
【００１６】
即ち、刈り取った長芝草を突部２３にて引っ掛けて集草部に送り込む際に、突部２３が回転することから、突部２３に長芝草が絡むことを低減することができ、突部２３に長芝草が絡むことによる集草部１４への送り込み機能の低下を回避することができ、刈り取った長芝草を残すことなく良好に集草することができるものである。
【００１７】
上記羽根２２は円周に亘って中心から放射状に配置しているものであり、また、上記突部２３は上記羽根２２よりも外周側で１／４回転ごとの位置に配置している。突部２３は羽根２２よりも高くしている。また、ファン１０は中心付近に肉厚となるボス部１８を有し、上記ボス部１８には軸方向に貫通する軸孔１７が穿設されている。軸孔１７はモーター軸２ａと略同径の断面Ｄ字型の形状をしている。しかして、モーター軸２ａ及び軸孔１７を断面Ｄ字型に形成することで、モーター軸２ａとファン１０との連結部分で、ロスなくファン１０に回転力を伝達することができるものである。
【００１８】
ファン１０の下面には複数の芝刈刃９がビス２０を介して固着されている。上記芝刈刃９は平板状であり、ファン１０より突出する先端部には回転方向Ｆに対する刃を有し、長手方向の中間部にはビス２０が挿入されるビス孔を形成している。
【００１９】
上記のような構成を有するファン１０は、風洞３内に突出したモーター軸２ａに挿通し、バネ座金１５を介して六角ナット１６をモーター軸２ａに螺設することで、モーター軸２ａに固着されるものである。ファン１０の下面に取付けられた芝刈刃９の先端は、風洞３の底面板１９に設けた開口８に臨むような位置で、且つ、芝取込み具２１の上方に位置している。
【００２０】
図４は他の実施の形態を示し、但し、本実施の形態の基本構成は上記実施の形態と共通であり、共通する部分には同一の符号を付して説明は省略する。
【００２１】
本実施の形態においては、突部２３の周囲に芝屑が支軸３０としての突起３３に波及するのを防止する防屑壁３１を設けたものである。
【００２２】
具体的には、ファン１０のハウジング３２に突部２３の下部の周部に防屑壁３１を一体に形成したものである。
【００２３】
本実施の形態においては、防屑壁３１によって突部２３を回転自在に支持している支軸３０としての突起３３に芝屑が波及するのを防止することができ、突部２３が回転しなくなるということをなくすことができるものである。
【００２４】
図５は更に他の実施の形態を示し、但し、本実施の形態の基本構成は上記実施の形態と共通であり、共通する部分には同一の符号を付して説明は省略する。
【００２５】
本実施の形態においては、突部２３にエッジ２４…を周方向に形成しているものである。
【００２６】
本実施の形態においては、突部２３で刈り取った長芝草を引っ掛ける際に突部２３のエッジ２４…にて切断して小さくすることができるのであり、芝草をファン１０による風力によって円滑に集草できるものである。
【００２７】
図６乃至図８は更に他の実施の形態を示し、但し、本実施の形態の基本構成は上記実施の形態と共通であり、共通する部分には同一の符号を付して説明は省略する。
【００２８】
本実施の形態においては、突部２３の外周に歯車３５を形成し、芝刈機本体１側のハウジング５の内周部で突部２３の歯車３５の回動軌跡に相当する部分に内歯車３６を形成している。
【００２９】
しかして、ファン１０の回転に伴って突部２３の歯車３５がハウジング５の内歯車３６に噛合して、突部２３を強制的に回転させることができて突部２３に長芝草が絡まるのを防止することができ、長芝草の除去を円滑におこなえるものである。
【００３０】
【発明の効果】
請求項１においては、芝刈機の風洞内にファン及び芝刈刃を回転自在に設け、ファンの上面に突部を設け、芝刈刃にて刈り取った芝屑をファンによる風力により集草部に送り込とともに刈り取った長芝屑を突部にて引っ掛けて集草部に送り込む芝刈機であって、ファンの上面の突部を回転自在に構成してあるから、刈り取った長芝草を突部にて引っ掛けて集草部に送り込む際に、突部が回転することから、突部に長芝草が絡むことを低減することができ、突部に長芝草が絡むことによる集草部への送り込み機能の低下を回避することができ、刈り取った長芝草を残すことなく良好に集草することができるという利点がある。
【００３１】
請求項２においては、請求項１の構成に加えて、突部の周囲に芝屑が支軸に波及するのを防止する防屑壁を設けてあるから、請求項１の効果に加えて、防屑壁によって突部を回転自在に支持している支軸に芝屑が波及するのを防止することができ、突部が回転しなくなるということをなくすことができ、請求項１の効果を、一層、高めることができるという利点がある。
【００３２】
請求項３においては、請求項１の構成に加えて、突部にエッジを形成しているから、請求項１の効果に加えて、突部で刈り取った長芝草を引っ掛ける際に突部のエッジにて切断して小さくすることができ、芝草を円滑に集草できるという利点がある。
【００３３】
請求項４においては、請求項１の構成に加えて、突部の外周に歯車を形成し、芝刈機本体側に突部の歯車に噛合して突部を強制的に回転させる手段を備えているから、請求項１の効果に加えて、突部の外周に形成した歯車に噛合して突部を強制的に回転させることができて突部に長芝草が絡まるのを防止することができ、長芝草の除去を円滑におこなえるという利点がある。
【図面の簡単な説明】
【図１】本発明の実施の一形態のファンを示し、（ａ）は平面図、（ｂ）は側断面図、（ｃ）は（ａ）のＡ−Ａ線断面図である。
【図２】同上の芝刈機本体の側断面図である。
【図３】同上のハンドル及び把手部を示す側面図である。
【図４】同上の他の実施の形態のファンを示し、（ａ）は平面図、（ｂ）は側断面図である。
【図５】同上の更に他の実施の形態を示し、（ａ）は平面図、（ｂ）は側断面図である。
【図６】同上の更に他の実施の形態を示し、（ａ）は平面図、（ｂ）は側断面図である。
【図７】同上の芝刈機本体の側断面図である。
【図８】同上の平面図である。
【符号の説明】
１    芝刈機本体
３    風洞
９    芝刈刃
１０  ファン
１４  集草部
２３  突部
【図１】
0003589170.tif 000002
【図２】
0003589170.tif 000003
【図３】
0003589170.tif 000004
【図４】
0003589170.tif 000005
【図５】
0003589170.tif 000006
【図６】
0003589170.tif 000007
【図７】
0003589170.tif 000008
【図８】
0003589170.tif 000009